(57)【要約】      （修正有）【課題】ハンガーの収納及びハンガーを利用する際、洗濯物を物干し竿に簡単に干しやすくしたハンガー収納ケースを提供する。【解決手段】衣類用ハンガー８を収納することのできるハンガー収納部本体２と、この収納部本体２を吊り下げるフック部３を有してなるハンガー収納ケース１であって、フック部３は、不使用時には、ハンガー収納部本体２内に収納されるようにした。【選択図】図１
0003227984.tif 000002
【実用新案登録請求の範囲】
【請求項１】
衣類用ハンガーを収納することのできるハンガー収納部本体と、この収納部本体を吊り下げるフック部を有してなるハンガー収納ケースであって、
前記フック部は、不使用時には、ハンガー収納部本体内に収納されるようにしたことを特徴とするハンガー収納ケース。
【請求項２】
前記フック部は、前記ハンガー収納部本体と帯又は紐で連結されてなることを特徴とする前記請求項１記載のハンガー収納ケース。
【請求項３】
前記フック部は、フックを有するハンガー収納時に少なくとも、ハンガーのフックを掛ける断面弧字状の係止部を有して、この係止部を前記ハンガー収納部本体内にフック固定部材を介して固定して収納されるとともに前記ハンガー収納部本体と所定長さの帯又は紐で連結されてなり、１又は複数のハンガーのフックを前記係止部に係止して、そろえて収納し、ハンガー使用時には、前記フック係止部を持ち上げ、前記ハンガーのフックとともに物干し竿に係止できるようにした前記請求項１又は２記載のハンガー収納ケース。
【請求項４】
前記フック部は、両端部に鉤部を設け、さらにフック固定部材は、前記ハンガー収納部本体の壁面に設けられた前記鉤部受け部材を形成してなることを特徴とする前記請求項３記載のハンガー収納ケース。
【考案の詳細な説明】
【考案の詳細な説明】
【技術分野】
【０００１】  本考案は、洗濯をする際に必要とするハンガーなどをまとめて収納することができ、またハンガーを利用する際には、簡単に利用できるハンガー収納ケースに関する。
【背景技術】
【０００２】  洗濯ものを干すために用いられるハンガーは、業者にクリーニングを依頼すると納品の際についてくる簡易なハンガーや、市販のハンガーなど種々雑多なハンガーが利用されている。これらハンガーは、部屋に散乱していると煩わしいため、きちんと整理収納しておきたいものである。【０００３】  例えば、特許文献１には、ランドリーハンガー同士が絡み合うことなく、すっきりと収納することができ、さらに収納及び取り出しに手数を要さず、使い勝手のよいランドリーハンガー用収納ボックスが開示されている。特許文献１で開示されるランドリーハンガー用収納ボックスは、上面が開口し、前面板１１の上端を後面板１２の上端より低く、前面板１１の下端を後面板１２の下端より高く形成し、前面板１１の下端と後面板１２の下端を傾斜した底面板１３で接続し、前面板１１、後面板１２及び底面板１３を側面板１４で接続したボックス形状をし、ランドリーハンガーのフック部を前面板１１の上端縁に当接させ、本体部の片方をボックス部１０内に挿入して並列状態に収納できるようにしている。【０００４】  使用に際し、この収納ボックス１は、後面板を、フック用穴１６を介して、ベランダ等の壁などに固定できるようになっている。しかし、基本的に、壁にかけるにしても、ハンガーなどは、目の届かないところに収納しておきたいものである。【０００５】  一方、特許文献２には、家庭内での衣類用ハンガーと洗濯バサミの非使用時における収納方法と美観の改善、及び使用時の作業性の向上を目的とするものが開示されている。それによると衣類用ハンガーを収納する収納部２と持運び用の把手３、そして洗濯バサミを留める洗濯バサミ収納部５とを備えた収納ラック構造になっている。【０００６】  しかしながら、ハンガーは、洗濯後、物干し竿にハンガーを介して干す時に、目の高さに位置して取り出せるように、物干し竿に掛かっていることが望ましい。そこで、本発明者は、袋に何らかのフックを設け、物干し竿に掛けることを試みた。
【先行技術文献】
【特許文献】
【０００７】
【特許文献１】実用新案登録第３２１２１１９号公報
【特許文献２】実用新案登録第３１１５９５２号公報
【考案の概要】
【考案が解決しようとする課題】
【０００８】  デパートや商店などで利用される紙袋やスーパー等で利用されるレジ袋を利用して、それら袋に適宜ハンガーなどを入れておき、洗濯の際に、ハンガーなどが入った袋の取手穴に物干し竿を通し、洗濯物を干す際に、随時ハンガーを取出すようにして、作業をすることで効率よく、衣類の洗濯干しが行える。【０００９】  しかし、レジ袋のように腰のない袋は、ハンガーなど無造作に入っていると取出しの際に、結構絡まってしまうので、いまひとつ使い勝手が悪く、また、それを収納する際も、目につくところには置けない。
また、厚手の紙製の袋類の取手は、持ち運びの際は良いが、洗濯の際は、袋を物干し竿に掛けるためには、物干し竿の端部をその袋の取手に入れて、掛ける作業があるので、煩わしく使い勝手の点ではよくない。本願考案は、これらの点に鑑み、ハンガーの収納及びハンガーを利用する際、洗濯物を物干し竿に簡単に干しやすくしたハンガー収納ケースを提供することを目的としたものである。
【課題を解決するための手段】
【００１０】  本考案は、衣類用ハンガーを収納することのできるハンガー収納部本体と、この収納部本体を吊り下げるフック部を有してなるハンガー収納ケースであって、このフック部は、不使用時には、ハンガー収納部本体内に収納されるようにしたハンガー収納ケースである。【００１１】  また、フック部は、ハンガー収納部本体と帯又は紐で連結されて、ハンガーをしまっておく際には、その帯又は紐で折り畳みフック部をハンガー収納部本体内にしまっておけば、シンプルに収納できる。【００１２】  本考案において、他の実施例（第２実施例）として、フック部は、フックを有するハンガー収納時に少なくとも、ハンガーのフックを掛ける断面弧字状の係止部を有して、この係止部を前記ハンガー収納部本体内にフック固定部材を介して固定して収納されるとともに前記ハンガー収納部本体と所定長さの帯又は紐で連結されてなり、１又は複数のハンガーのフックを前記係止部に係止して、そろえて収納し、ハンガー使用時には、前記フック係止部を持ち上げ、前記ハンガーのフックとともに物干し竿に係止できるようにしたものである。【００１３】  さらにフック部の実施例として、係止部の両端部に鉤部を設け、さらにフック固定部材は、前記ハンガー収納部本体の壁面に設けられた前記鉤部受け部材を形成して、係止部の鉤部と鉤部受け部材で、係止部をハンガー収納部本体内に固定して収納し、随時ハンガーをこの係止部にそろえて収納し、同様にハンガー使用時には、前記フック係止部を持ち上げ、前記ハンガーのフックとともに物干し竿に係止できるようにしたものである。
【考案の効果】
【００１４】  本考案のハンガー収納ケースは、ハンガーが散乱するのを防止し、すっきり収納でき、またハンガーを使用するときは、簡単にハンガー収納ケースを物干し竿に掛けて使用でき、ハンガーを容易に取り出せ使用できる。
【図面の簡単な説明】
【００１５】
【図１】本考案の第１実施例の説明図。
【図２】本考案の第１実施例の正面及び、側面からの説明図。
【図３】本考案の第２実施例のハンガー収納部内の説明図。
【図４】本考案の第２実施例の正面断面及び側面断面からの説明図。
【図５】本考案の図３、図４で示される実施例の使用状態説明図。
【図６】本考案の第２実施例の他の係止部を中心とする説明図。
【図７】本考案の図６の正面断面及び側面断面からの説明図。
【図８】本考案の図６、図７で示される実施例の使用状態説明図。
【考案を実施するための形態】
【００１６】  本考案のハンガー収納ケースを実施するための好ましい形態を図面に基づいて説明する。なお、本考案のハンガー収納ケースは本実施形態に限定されるものではない。
【００１７】  図１に示すように、本考案のハンガー収納ケース１は、衣類用ハンガー８を収納することのできるハンガー収納部本体２と、このハンガー収納部本体２を吊り下げるフック部３を有してなるハンガー収納ケースであって、このフック部３は、不使用時には、ハンガー収納部本体２内に収納されるようにしたものである。ハンガー収納部本体２は、前面が斜めに切りかかれた開口部を有して、前面側からハンガー８、９等の出し入れが容易になっている。
【００１８】  図１中フック部３は、逆Ｓ字状のフックで、物干し竿１０に簡単にかけることができ、ハンガー収納部本体２から布製の帯状のループを形成されたフック掛部４に引っ掛けて連接される。ハンガー８は、物干し竿１０に掛けられるように鉤状のフック７が形成されているが、特殊なハンガーとして図中９で示されるように、引掛け部がクリップ条に形成されているものもあるが、まとめて収納できる。
【００１９】  このように、本考案のハンガー収納ケース１は、洗濯物を物干し竿１０に干す際にフック部３で掛けておけば、ハンガー８やクリップハンガー９を取出しながら衣類を物干し竿１０に簡単に掛けることができ、またハンガー８やクリップハンガー９などを収納して、しまっておく場合には、フック部３をフック掛け部４から内側に折り曲げれば、ハンガー収納部本体２内に収納でき、すっきりと収納できる。
【００２０】  フック部３の他の実施例として、第２の実施例を説明する。フック部は、フック７を有するハンガー８の収納時に少なくとも、ハンガー８のフック７を掛ける断面弧字状の係止部１３を有して、この係止部１３をハンガー収納部本体１２内に設置した、係止部固定部材１６を介して固定して収納されるとともに、ハンガー収納部本体１２と、所定長さの帯又は紐（図５中１８で）で連結されてなり、１又は複数のハンガーのフックを係止部に係止して、そろえて収納し、ハンガー８の使用時には、このフック係止部１３を持ち上げ、ハンガー８のフック７とともに物干し竿１０に係止できるようにしたものである（図５参照）。
【００２１】  具体的には、図３に示されるように係止部１３は、断面弧の字状に形成され、長手方向の端部に突起１５が設けられている。一方、この係止部１３を固定する係止部固定部材１６は、正面側から見て、Ｅの字状に形成さて、前記係止部１３の突起を受ける受溝１４が設けられ、その突起１５、と受溝１４が嵌合して、係止部１３を上から降ろせば、簡単に固定できるようになっている。１７は係止部１３が回転しないようにする、突出した直線状のストッパである。
【００２２】  この係止部１３にフック７を有する通常ハンガー８を１又は複数掛けていき収納しておく。このＥの字状の係止部固定部材１６ハンガー収納スペース１６ａと１６ｂを形成しているが、係止部１３を固定しないスペース１６ｂには、クリップハンガー９やその他のものが収納できるようになっている。
【００２３】  図４で確認できるように、係止部固定部材１６によって、固定されている係止部１３に通常のハンガー８を掛けて収納する状態の側面断面説明と左側に、Ｘ−Ｘ線断面説明図を示す正面断面説明でも確認できるが、複数のハンガー８が、スペース１６ａに位置する係止部１３にハンガーのフック７を掛けて収納していき、その右側のスペース１６ｂにクリップハンガーやその他の小物も収納できる。１９は、ハンガース収納ケース１１を移動する際に持ち運ぶために設けられ、穴のあけられた取手である。
【００２４】  洗濯物を干す際には、図５に示されるように、係止部１３の取手２０を掴みそのまま上に引き上げると複数のハンガー８が一緒に引き上げられ、ハンガー８は、ハンガー収納ケース１１から上部に引き出され、複数本まとめて物干し竿１０に簡単にかけられる。また、ハンガー収納ケース１１は、係止部１３とワイヤなどの紐１８で連結しているので、下には落ちないようになっている。図５中ワイヤ１８は、ハンガー収納ケース１１の側壁にハト目処理された穴に固定され、金属や樹脂などで構成されるが、紐の外に帯状であっても良い。
【００２５】  収納スペース１６ｂに入っているクリップハンガー９も簡単に袋から取り出せるので、きわめて便利なハンガー収納ケース１１が提供できる。このようにハンガー収納ケース１１を物干し竿１０に掛けるフック部を係止部１３で形成することで、ハンガー８とハンガー収納ケース１１を同時に吊り下げることができ効率が良いものとなる。
【００２６】  また、係止部１３の他の実施例として、係止部固定部材１６を設けることなく形成する手段として、図６に示したように、係止部２３の両端に金属や樹脂で形成したフック状の鉤部２４を設け、ハンガー収納ケースの側壁に、この鉤部を受けるロの字状の鉤部受け部材２５を設けても良い。図６の左側にハンガー収納ケース２１の平面説明図に側壁に確認できるように、この係止部２３の鉤部２４とハンガー収納ケース２１内に設けられた鉤部受け部材２５がかみ合うように、上から係止部２３を押し下げて、ハンガー収納ケース２１内に係止部２３を固定できるようにできる（図７参照）。
【００２７】  このように図４で示されたハンガー収納ケース１１と同様に、図７のハンガー収納ケース２１も順次ハンガー８のフック７を係止部２３に掛けて収納し、他のクリップハンガー９は、隣のスペース２１ｂに収納していき、物干し竿１０に掛ける際には、図８に示されるように、係止部２３の取手３０をもって持ち上げるだけで、簡単にハンガー８がハンガー収納ケース２１から表出した状態で、ハンガー収納ケース２１とともに物干し竿１０に掛けられる。
【００２８】  本願考案によれば、各種ハンガーが部屋に散らばらず、整然とまとめて収納でき、洗濯物を干す際には、簡単にハンガーを使用できるように物干竿に簡単に掛けて取り出せ、洗濯物を効率く干せる。
【符号の説明】
【００２９】１・・・ハンガー収納ケース
２・・・ハンガー収納部本体
３・・・フック部
４・・・フック掛部
５・・・ハンガー収納部側壁
６・・・ハンガー取出し切欠
７・・・フック
８・・・ハンガー
９・・・クリップハンガー
１０・・・物干し竿
１１・・・ハンガー収納ケース
１２・・・ハンガー収納部本体
１３・・・係止部
１４・・・受溝
１５・・・突起
１６・・・係止部固定部材
１７・・・ストッパ
１８・・・紐
１９・・・ケース取手
２０・・・取手
２１・・・ハンガー収納ケース
２３・・・係止部
２４・・・鉤部
２５・・・鉤部受け部材
２７・・・仕切り
２８・・・紐（ワイヤ）
２９・・・ケース取手
３０・・・取手
【図１】
0003227984.tif 000003
【図２】
0003227984.tif 000004
【図３】
0003227984.tif 000005
【図４】
0003227984.tif 000006
【図５】
0003227984.tif 000007
【図６】
0003227984.tif 000008
【図７】
0003227984.tif 000009
【図８】
0003227984.tif 000010